(57)【特許請求の範囲】
【請求項１】
前面に上下方向のガイドスリットを有する支持ブラケットと、連結ねじを介して上下一対のフック部材を連結するロック金具とを備えてなり、前記フック部材に形成するフックは、前記ガイドスリットを介して前記支持ブラケットの前面に上下対称に突出し、前記連結ねじを介して前記フック部材を上下に逆方向に相対移動させることにより、間仕切りパネルの柱材の係合スリットにそれぞれ係合して前記支持ブラケットを柱材側に駆動するとともに、前記フック部材、支持ブラケットを相対移動不能にロックすることを特徴とする間仕切りパネル用の安定脚。
【請求項２】
前記各フックは、斜面を介して前記支持ブラケットを柱材側に駆動することを特徴とする請求項１記載の間仕切りパネル用の安定脚。
【請求項３】
前記各フック部材は、同一形状に形成することを特徴とする請求項１または請求項２記載の間仕切りパネル用の安定脚。
【請求項４】
前記各フック部材には、前記ガイドスリットに圧入するロック用の楔を形成することを特徴とする請求項１ないし請求項３のいずれか記載の間仕切りパネル用の安定脚。
【請求項５】
前記ガイドスリットは、上下に分割することを特徴とする請求項１ないし請求項４のいずれか記載の間仕切りパネル用の安定脚。
【請求項６】
前記支持ブラケットには、補助ベースを付設することを特徴とする請求項１ないし請求項５のいずれか記載の間仕切りパネル用の安定脚。
【請求項７】
前記支持ブラケットには、保護用のカバーを装着することを特徴とする請求項１ないし請求項６のいずれか記載の間仕切りパネル用の安定脚。
【発明の詳細な説明】
【０００１】
【発明の属する技術分野】
この発明は、レベル調節後の間仕切りパネルに取り付け、十分な倒れ防止強度を実現することができる間仕切りパネル用の安定脚に関する。
【０００２】
【従来の技術】
室内を任意に仕切る間仕切りパネルには、倒れ防止用の安定脚を取り付けることがある。
【０００３】
すなわち、間仕切りパネルは、柱材の下端に付設するレベル調節用のアジャストボルトを介してレベル調節した後、厚さ方向に突出する安定脚を取り付けて倒れ防止されている。なお、安定脚は、たとえば長孔を介して柱材にねじ止めされ、レベル調節による柱材の高さ変動に対応させるのが普通である。
【０００４】
【発明が解決しようとする課題】
かかる従来技術によるときは、安定脚は、長孔を介して間仕切りパネルの柱材にねじ止めされるから、間仕切りパネルの倒れ防止強度が不足しがちであるという問題が避けられなかった。
【０００５】
そこで、この発明の目的は、かかる従来技術の問題に鑑み、上下一対のフック部材を有するロック金具を使用することによって、レベル調節後の間仕切りパネルに簡単に装着し、十分な倒れ防止強度を実現することができる間仕切りパネル用の安定脚を提供することにある。
【０００６】
【課題を解決するための手段】
かかる目的を達成するためのこの発明の構成は、前面に上下方向のガイドスリットを有する支持ブラケットと、連結ねじを介して上下一対のフック部材を連結するロック金具とを備えてなり、フック部材に形成するフックは、ガイドスリットを介して支持ブラケットの前面に上下対称に突出し、連結ねじを介してフック部材を上下に逆方向に相対移動させることにより、間仕切りパネルの柱材の係合スリットにそれぞれ係合して支持ブラケットを柱材側に駆動するとともに、フック部材、支持ブラケットを相対移動不能にロックすることをその要旨とする。
【０００７】
なお、各フックは、斜面を介して支持ブラケットを柱材側に駆動することができる。
【０００８】
また、各フック部材は、同一形状に形成することができる。
【０００９】
さらに、各フック部材には、ガイドスリットに圧入するロック用の楔を形成してもよく、ガイドスリットは、上下に分割してもよい。
【００１０】
なお、支持ブラケットには、補助ベースを付設してもよく、保護用のカバーを装着してもよい。
【００１１】
【作用】
かかる発明の構成によるときは、ロック金具は、連結ねじを介して上下一対のフック部材を連結して構成されており、フック部材に形成するフックは、支持ブラケットのガイドスリットを介して支持ブラケットの前面に上下対称に突出し、連結ねじを介してフック部材を上下に逆方向に相対移動させることにより、柱材の係合スリットにそれぞれ係合し、支持ブラケットを柱材側に駆動して、柱材の高さに拘らず、柱材に対し、支持ブラケットを正しく、しかも十分強固に取り付けることができる。上下のフック部材は、それぞれのフックが柱材の係合スリットに係合して固定され、フック部材、支持ブラケットは、相対移動不能にロックされるからである。なお、柱材側に駆動される支持ブラケットは、柱材との間に間仕切りパネルのパネル材や幅木を挟み込むものとする。また、フック部材は、それぞれに形成するフックの方向により、連結ねじを介して、互いに近付くように相対移動させてもよく、遠去かるように相対移動させてもよい。
【００１２】
各フックは、斜面を介して柱材の係合スリットに係合し、係合の進行とともに支持ブラケットを柱材側に円滑に駆動することができる。なお、このときの柱材は、フックが係合する係合スリットの先端が外側に僅かに変形してもよい。
【００１３】
各フック部材は、同一形状にして上下反転させることにより、部材の統一を図ることができる。
【００１４】
フック部材に形成するロック用の楔は、ガイドスリットに圧入され、支持ブラケットに対してフック部材を強固にロックすることができる。
【００１５】
上下に分割するガイドスリットは、支持ブラケットの前面の強度低下を最少に抑えることができる。
【００１６】
支持ブラケットに補助ベースを付設すれば、たとえば補助ベースを床面に固定することにより、一層高度の倒れ防止強度を実現することができる。
【００１７】
支持ブラケットは、保護用のカバーを装着することにより、外観体裁を整え、ロック金具の誤操作を防止することができる。
【００１８】
【発明の実施の形態】
以下、図面を以って発明の実施の形態を説明する。
【００１９】
間仕切りパネル用の安定脚は、補助ベース１１付きの支持ブラケット１２と、ロック金具２０とを備えてなる（図１）。ただし、図１には、間仕切りパネル３０の先端の柱材３１に対し、安定脚を前後に取り付ける例が図示されている。
【００２０】
間仕切りパネル３０は、柱材３１の各面にパネル材３２、３２、幅木３３を付設して構成されている。柱材３１は、たとえば角筒状のパイプ材であって、パネル材３２などを装着する各面に縦長の係合スリット３１ａ、３１ａ…が形成されている。柱材３１の下端には、レベル調節用のアジャストボルト３１ｃが装備されており、間仕切りパネル３０の先端となる柱材３１の側端面には、カバー材３４が装着されている。カバー材３４は、柱材３１側の係合スリット３１ｂ、３１ｂに係合フック３４ａ、３４ａを係止させることにより、柱材３１に着脱可能に装着することができる。ただし、係合スリット３１ｂ、３１ｂ、係合フック３４ａ、３４ａは、それぞれ少なくとも柱材３１、カバー材３４の上部、下部に形成されているものとする。
【００２１】
支持ブラケット１２は、止めねじ１２ｂ、１２ｂを介し、補助ベース１１の前端に立設されている（図１、図２）。ただし、図２（Ａ）、（Ｂ）は、それぞれ図１の要部拡大縦断面図、要部拡大分解斜視図である。補助ベース１１は、十分な強度を有する板材であり、補助ベース１１の後端には、床面に固定するための取付孔１１ａが形成されている。支持ブラケット１２は、板材を曲げ加工し、ガイドスリット１２ａ、１２ａを有する前面の両側に略三角形の補強部１２ｅ、１２ｅが形成され、一方の補強部１２ｅの下部を内側に折り曲げて底部１２ｆが形成されている。なお、上下方向のガイドスリット１２ａ、１２ａは、上下に分割され、一直線状に配置されている。
【００２２】
支持ブラケット１２には、保護用のカバー１３が付属している。カバー１３は、前部、下部開放の箱形に形成され、支持ブラケット１２を収納することができる。カバー１３は、上部の係合リブ１３ａを支持ブラケット１２の上端の段１２ｃ、１２ｃに係合させ、左右の係合突部１３ｂ、１３ｂ…を補強部１２ｅ、１２ｅの前端の係合部１２ｄ、１２ｄ…に係合させることにより、支持ブラケット１２を後方から覆うようにして着脱可能に装着することができる。
【００２３】
ロック金具２０は、連結ねじ２２を介して上下一対のフック部材２１、２１を連結して構成されている（図１、図３）。各フック部材２１は、略Ｖ字状のフック２１ａ1 を形成するフック片２１ａを有し、フック２１ａ1 は、内向きの係合突部２１ａ2 から先端の低い頂部２１ａ3 に至る前方の緩傾斜の斜面２１ａ4 と、後方の急傾斜の斜面２１ａ5 とを備えて形成されている。なお、フック部材２１には、フック片２１ａ上に突出するロック用の台形の楔２１ｃが形成されている。
【００２４】
フック部材２１、２１は、ワッシャ２２ａ、板ナット２２ｂ付きの連結ねじ２２を介して上下対称に連結されている。なお、板ナット２２ｂは、一方のフック部材２１に収納されて回り止めされている。フック部材２１、２１は、同一形状のものを上下反転させることにより、それぞれのフック２１ａ1 、２１ａ1 を内向きに対向させている。すなわち、上下のフック部材２１、２１は、それぞれのフック２１ａ1 、２１ａ1 を下向き、上向きにして、連結ねじ２２と組み合わされている。
【００２５】
ロック金具２０は、支持ブラケット１２に収納し、ガイドスリット１２ａ、１２ａを介してフック片２１ａ、２１ａのフック２１ａ1 、２１ａ1 を支持ブラケット１２の前面に上下対称に突出させ、フック２１ａ1 、２１ａ1 を柱材３１の係合スリット３１ａ、３１ａにそれぞれ係合させることができる（図４、図５）。ただし、図４の左半部は、係合の初期段階を示し、右半部は、係合の完了段階を示している。また、図５（Ａ）、（Ｂ）は、それぞれ図４のＸ1 −Ｘ1 線、Ｘ2 −Ｘ2 線矢視相当断面図であり、図５（Ｂ）は、同図（Ａ）と同方向に回転させて図示されている。ロック金具２０は、連結ねじ２２を締付方向に回してフック部材２１、２１を近付けるように相対移動させることにより（図４の矢印Ｋ1 、Ｋ1 方向）、係合スリット３１ａ、３１ａに対するフック２１ａ1 、２１ａ1 の係合が進行する。
【００２６】
すなわち、各フック２１ａ1 は、係合の初期段階において、前方の斜面２１ａ4 を介して係合スリット３１ａに係合し、内向きの係合突部２１ａ2 が係合スリット３１ａの先端を越えて係合が完了するが、この間において、斜面２１ａ4 は、係合の進行に従って、フック部材２１を介して支持ブラケット１２を柱材３１側に駆動する。なお、支持ブラケット１２と柱材３１との間には、パネル材３２、幅木３３が挟み込まれており、各フック２１ａ1 は、最終的に、係合スリット３１ａの先端を外側に変形させて、フック部材２１、２１、支持ブラケット１２を柱材３１に強固に固定することができる。一方、係合スリット３１ａ、３１ａに対するフック２１ａ1 、２１ａ1 の係合が進行すると、各フック部材２１の楔２１ｃは、支持ブラケット１２のガイドスリット１２ａに圧入され、フック部材２１の側面を支持ブラケット１２の一方の補強部１２ｅの内面に圧接させて、フック部材２１、支持ブラケット１２を相対移動不能にロックすることができる。
【００２７】
よって、ロック金具２０は、アジャストボルト３１ｃを介して間仕切りパネル３０をレベル調節した後、連結ねじ２２を回転操作することにより、柱材３１の高さに拘らず、補助ベース１１の下面を床面に正しく接地させて支持ブラケット１２を柱材３１に取り付けることができる。ロック金具２０は、係合スリット３１ａ、３１ａに対するフック２１ａ1 、２１ａ1 の係合が完了しない限り、フック部材２１、２１のフック片２１ａ、２１ａがガイドスリット１２ａ、１２ａにガイドされて上下方向に任意に移動可能であり、フック２１ａ1 、２１ａ1 の係合の完了時点において、支持ブラケット１２に対する相対高さ位置が決定されるからである。なお、このようにして間仕切りパネル３０に取り付けた支持ブラケット１２、１２は、カバー１３、１３を装着してロック金具２０、２０を隠蔽し（図６）、補助ベース１１、１１を床面に固定して、間仕切りパネル３０に対して必要十分な倒れ防止強度を実現することができる。ただし、補助ベース１１、１１は、必ずしも床面に固定しなくてもよい。
【００２８】
【他の実施の形態】
ロック金具２０は、上下のフック部材２１、２１のフック２１ａ1 、２１ａ1 をそれぞれ上向き、下向きにしてもよい（図７）。フック部材２１、２１は、両端部に互いに逆ねじの雄ねじ部２２ｃ、２２ｃを有する連結ねじ２２を介して連結されており、連結ねじ２２の上端には、回転操作用のすり割り２２ｄが形成されている。また、フック部材２１、２１には、それぞれ連結ねじ２２の雄ねじ部２２ｃに適合する雌ねじ２１ｄが形成されている。そこで、ロック金具２０は、連結ねじ２２を締付方向に回転させることにより、フック部材２１、２１を互いに遠去かるように相対移動させ（同図の二点鎖線）、上下対称のフック２１ａ1 、２１ａ1 を柱材３１の係合スリット３１ａ、３１ａに係合させることができる。
【００２９】
各フック部材２１は、支持ブラケット１２の補強部１２ｅに圧接される側の側面に対し、ローレット状の滑止め２１ｅを形成してもよい（図８）。ただし、図８（Ｂ）、（Ｃ）は、それぞれ同図（Ａ）のＹ1 −Ｙ1 線、Ｙ2 −Ｙ2 線矢視相当拡大断面図である。フック部材２１は、楔２１ｃが支持ブラケット１２のガイドスリット１２ａに圧入されると、滑止め２１ｅを介して補強部１２ｅの内面に圧接し（同図（Ｃ））、支持ブラケット１２に対して一層強固にロックされる。
【００３０】
【発明の効果】
以上説明したように、この発明によれば、支持ブラケットと、上下一対のフック部材を有するロック金具とを組み合わせることによって、フック部材に形成するフックは、間仕切りパネルの柱材の係合スリットにそれぞれ係合してフック部材、支持ブラケットを相対移動不能にロックするから、柱材の高さに拘らず、レベル調節後の間仕切りパネルに簡単に装着し、十分な倒れ防止強度を実現することができるという優れた効果がある。
【図面の簡単な説明】
【図１】  全体構成分解斜視説明図
【図２】  要部拡大構成説明図
【図３】  要部拡大斜視図
【図４】  動作説明図（１）
【図５】  動作説明図（２）
【図６】  使用状態斜視図
【図７】  他の実施の形態を示す要部拡大縦断面図
【図８】  他の実施の形態を示す要部構成説明図
【符号の説明】
１１…補助ベース
１２…支持ブラケット
１２ａ…ガイドスリット
１３…カバー
２０…ロック金具
２１…フック部材
２１ａ1 …フック
２１ａ4 …斜面
２１ｃ…楔
２２…連結ねじ
３０…間仕切りパネル
３１…柱材
３１ａ…係合スリット
【図１】
0003902739.tif 000002
【図２】
0003902739.tif 000003
【図３】
0003902739.tif 000004
【図４】
0003902739.tif 000005
【図５】
0003902739.tif 000006
【図６】
0003902739.tif 000007
【図７】
0003902739.tif 000008
【図８】
0003902739.tif 000009